(57)【特許請求の範囲】
【請求項１】
プレイヤに対応付けて、蓄積数を記憶する記憶手段と、
前記プレイヤが所有するアイテムを消費することにより、抽選対象コンテンツそれぞれの抽選確率に基づいて抽選したコンテンツを当該プレイヤに獲得させる抽選ゲームを実行する抽選手段と、
前記抽選ゲームで抽選されたコンテンツが特定コンテンツであるか否かを判定する判定手段と、
前記判定が否定された場合、前記蓄積数を上昇させる蓄積手段と、
前記判定が肯定された場合、前記蓄積数が高いほど、多い数の前記アイテムを前記プレイヤに付与する付与手段と、
前記抽選ゲームを含むゲームを制御する制御手段であり、前記蓄積数が所定値を超えている場合、前記抽選ゲームを実行する際に消費するアイテムを、前記プレイヤにより購入された有償アイテムから当該プレイヤが当該ゲームのプレイによって取得可能な無償アイテムに変更する制御手段と、
を備える情報処理装置。
【請求項２】
前記所定値を、第一所定値よりも大きい第二所定値としたとき、
前記付与手段は、前記蓄積数が前記第一所定値以下である場合、前記アイテムを付与しない、
請求項１に記載の情報処理装置。
【請求項３】
前記第一所定値は、前記特定コンテンツの抽選確率に応じた値であって、当該抽選確率が高いほど低い値となる、
請求項２に記載の情報処理装置。
【請求項４】
前記蓄積手段は、前記判定が肯定された場合に、前記蓄積数を初期化する、
請求項１乃至３の何れか１項に記載の情報処理装置。
【請求項５】
コンピュータを、
プレイヤに対応付けて、蓄積数を記憶する記憶手段、
前記プレイヤが所有するアイテムを消費することにより、抽選対象コンテンツそれぞれの抽選確率に基づいて抽選したコンテンツを当該プレイヤに獲得させる抽選ゲームを実行する抽選手段、
前記抽選ゲームで抽選されたコンテンツが特定コンテンツであるか否かを判定する判定手段、
前記判定が否定された場合、前記蓄積数を上昇させる蓄積手段、
前記判定が肯定された場合、前記蓄積数が高いほど、多い数の前記アイテムを前記プレイヤに付与する付与手段、
前記抽選ゲームを含むゲームを制御する制御手段であり、前記蓄積数が所定値を超えている場合、前記抽選ゲームを実行する際に消費するアイテムを、前記プレイヤにより購入された有償アイテムから当該プレイヤが当該ゲームのプレイによって取得可能な無償アイテムに変更する制御手段、
として機能させるプログラム。
【発明の詳細な説明】
【技術分野】
【０００１】
本発明は、情報処理装置及びプログラムに関する。
【背景技術】
【０００２】
従来から、プレイヤが所有するアイテムを消費することにより、抽選されたコンテンツを当該プレイヤに獲得させる抽選ゲームが知られている。
【０００３】
これに関して、特許文献１には、各コンテンツ（キャラクタ）が有する出現頻度（抽選確率）に応じて抽選したコンテンツをプレイヤに獲得させる技術が開示されている。
【先行技術文献】
【特許文献】
【０００４】
【特許文献１】特許第３２２２８６９号公報
【発明の概要】
【発明が解決しようとする課題】
【０００５】
しかしながら、特許文献１の技術では、少数のコスト（例えばアイテム）を消費しただけで特定コンテンツを獲得するプレイヤがいる一方、多数のコストを消費しても特定コンテンツを獲得できないプレイヤもいるため、公平性に欠けるという問題があった。
【０００６】
本発明はこのような課題に鑑みてなされたものであり、その目的は、公平性のある抽選ゲームを提供することができる情報処理装置及びプログラムを提供することにある。
【課題を解決するための手段】
【０００７】
上記課題を解決するために、本発明の第一態様に係る情報処理装置は、プレイヤに対応付けて、蓄積数を記憶する記憶手段と、前記プレイヤが所有するアイテムを消費することにより、抽選対象コンテンツそれぞれの抽選確率に基づいて抽選したコンテンツを当該プレイヤに獲得させる抽選ゲームを実行する抽選手段と、前記抽選ゲームで抽選されたコンテンツが特定コンテンツであるか否かを判定する判定手段と、前記判定が否定された場合、前記蓄積数を上昇させる蓄積手段と、前記判定が肯定された場合、前記蓄積数に応じた報酬を前記プレイヤに付与する付与手段と、を備え、前記付与手段は、前記蓄積数が高いほど、前記プレイヤに対して有利な報酬を付与する。
【０００８】
また、本発明の第二態様では、前記付与手段は、前記蓄積数が第一所定値以下である場合、前記報酬を付与しない。
【０００９】
また、本発明の第三態様では、前記第一所定値は、前記特定コンテンツの抽選確率に応じた値であって、当該抽選確率が高いほど低い値となる。
【００１０】
また、本発明の第四態様では、前記付与手段は、前記蓄積数が前記第一所定値よりも高い設定値を超えた場合、前記特定コンテンツを前記プレイヤに付与する。
【００１１】
また、本発明の第五態様では、前記報酬は、前記蓄積数に応じた数の前記アイテムである。
【００１２】
また、本発明の第六態様では、前記報酬は、前記獲得させる特定コンテンツのパラメータを変更させることである。
【００１３】
また、本発明の第七態様では、前記蓄積手段は、前記判定が肯定された場合に、前記蓄積数を初期化する。
【００１４】
また、本発明の第八態様では、前記蓄積数が第二所定値を超えている場合、前記抽選ゲームを実行する際に消費するアイテムの数を低下させる制御手段と、を備える。
【００１５】
また、本発明の第九態様では、前記蓄積数が第二所定値を超えている場合、前記抽選ゲームを実行する際に消費するアイテムを価値の低いアイテムに変更する制御手段と、を備える。
【００１６】
また、本発明の第十態様に係るプログラムは、コンピュータを、プレイヤに対応付けて、蓄積数を記憶する記憶手段、前記プレイヤが所有するアイテムを消費することにより、抽選対象コンテンツそれぞれの抽選確率に基づいて抽選したコンテンツを当該プレイヤに獲得させる抽選ゲームを実行する抽選手段、前記抽選ゲームで抽選されたコンテンツが特定コンテンツであるか否かを判定する判定手段、前記判定が否定された場合、前記蓄積数を上昇させる蓄積手段、前記判定が肯定された場合、前記蓄積数に応じた報酬を前記プレイヤに付与する付与手段、として機能させ、前記付与手段は、前記蓄積数が高いほど、前記プレイヤに対して有利な報酬を付与する。
【発明の効果】
【００１７】
本発明によれば、公平性のある抽選ゲームを提供することができる。
【図面の簡単な説明】
【００１８】
【図１】第一実施形態に係るゲームシステムの全体構成の一例を示すブロック図である。
【図２】サーバ装置のハードウェア構成の一例を概略的に示す図である。
【図３】図１に示す端末装置としてスマートフォンのハードウェア構成の一例を示す図である。
【図４】サーバ装置の機能的構成の一例を示すブロック図である。
【図５】抽選ゲーム情報の報酬情報の一例を示す概念図である。
【図６】第一実施形態に係るゲームシステムにおいて、図４に示す各機能手段が行う処理の流れの一例を示すフローチャートである。
【図７】第一実施形態に係る抽選ゲーム実行画面の一例を示す図である。
【図８】抽選ゲーム情報の対価情報の一例を示す概念図である。
【図９】第二実施形態に係るゲームシステムにおいて、制御手段等が行う処理の流れの一例を示すフローチャートである。
【図１０】第二実施形態に係る抽選ゲーム実行画面の一例を示す図である。
【発明を実施するための形態】
【００１９】
以下、添付図面を参照しながら本発明の複数の実施形態について説明する。説明の理解を容易にするため、各図面において同一の構成要素及びステップに対しては可能な限り同一の符号を付して、重複する説明は省略する。
【００２０】
−−−第一実施形態−−−
まず、第一実施形態について説明する。
【００２１】
＜全体構成＞
図１は、第一実施形態に係るゲームシステム１の全体構成の一例を示すブロック図である。
【００２２】
図１に示すように、ゲームシステム１は、サーバ装置１０と、一又は複数の端末装置１２と、を備える。これらのサーバ装置１０と端末装置１２とは、イントラネットやインターネット、電話回線等の通信ネットワークＮＴを介して通信可能に接続されている。
【００２３】
サーバ装置１０は、ゲームプログラム１４を実行して得られるゲームの実行結果、又はゲームプログラム１４そのものを、通信ネットワークＮＴを介して各端末装置１２のプレイヤに提供する情報処理装置である。第一実施形態では、サーバ装置１０は、ゲームプログラム１４そのものを端末装置１２のプレイヤに提供する。
【００２４】
各端末装置１２は、各プレイヤが所持する情報処理装置であって、サーバ装置１０から受信したゲームプログラム１４がインストールされた後、実行することで、各プレイヤにゲームを提供する情報処理装置である。これらの端末装置１２としては、ビデオゲーム機や、アーケードゲーム機、携帯電話、スマートフォン、タブレット、パーソナルコンピュータ等の様々なものが挙げられる。
【００２５】
＜ハードウェア構成＞
図２は、サーバ装置１０のハードウェア構成の一例を概略的に示す図である。
【００２６】
図２に示すように、サーバ装置１０は、制御装置２０と、通信装置２６と、記憶装置２８と、を備える。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００２７】
制御装置２０では、ＣＰＵ２２がメモリ２４或いは記憶装置２８等に格納された所定のプログラムを実行することにより、各種の機能手段として機能する。この機能手段の詳細については後述する。
【００２８】
通信装置２６は、外部の装置と通信するための通信インターフェース等で構成される。通信装置２６は、例えば、端末装置１２との間で各種の情報を送受信する。
【００２９】
記憶装置２８は、ハードディスク等で構成される。この記憶装置２８は、ゲームプログラム１４を含む、制御装置２０における処理の実行に必要な各種プログラムや各種の情報、及び処理結果の情報を記憶する。
【００３０】
なお、サーバ装置１０は、専用又は汎用のサーバ・コンピュータなどの情報処理装置を用いて実現することができる。また、サーバ装置１０は、単一の情報処理装置より構成されるものであっても、通信ネットワークＮＴ上に分散した複数の情報処理装置より構成されるものであってもよい。また、図２は、サーバ装置１０が有する主要なハードウェア構成の一部を示しているに過ぎず、サーバ装置１０は、サーバが一般的に備える他の構成を備えることができる。また、複数の端末装置１２のハードウェア構成も、例えば操作手段や表示装置、音出力装置を備える他は、サーバ装置１０と同様の構成を備えることができる。
【００３１】
図３は、図１に示す端末装置１２としてスマートフォンのハードウェア構成の一例を示す図である。
【００３２】
図３に示すように、端末装置１２は、主制御部３０と、タッチパネル（タッチスクリーン）３２と、カメラ３４と、移動体通信部３６と、無線ＬＡＮ通信部３８と、記憶部４０と、スピーカ４２と、を備える。
【００３３】
主制御部３０は、ＣＰＵやメモリ等を含んで構成される。この主制御部３０には、表示入力装置としてのタッチパネル３２と、カメラ３４と、移動体通信部３６と、無線ＬＡＮ通信部３８と、記憶部４０と、スピーカ４２と、に接続されている。そして、主制御部３０は、これら接続先を制御する機能を有する。
【００３４】
タッチパネル３２は、表示機能及び入力機能の両方の機能を有し、表示機能を担うディスプレイ３２Ａと、入力機能を担うタッチセンサ３２Ｂとで構成される。第一実施形態では、ディスプレイ３２Ａは、ボタン画像、十字キー画像やジョイスティック画像などの操作入力画像を含むゲーム画像を表示可能である。タッチセンサ３２Ｂは、ゲーム画像に対するプレイヤの入力位置を検出可能である。
【００３５】
カメラ３４は、静止画又は／及び動画を撮影し、記憶部４０に保存する機能を有する。
【００３６】
移動体通信部３６は、アンテナ３６Ａを介して、移動体通信網と接続し、当該移動体通信網に接続されている他の通信装置と通信する機能を有する。
【００３７】
無線ＬＡＮ通信部３８は、アンテナ３８Ａを介して、通信ネットワークＮＴと接続し、当該通信ネットワークＮＴに接続されているサーバ装置１０等の他の装置と通信する機能を有する。
【００３８】
記憶部４０には、ゲームプログラム１４や、当該ゲームプログラム１４のゲームの進行状況やプレイヤ情報を示すプレイデータ等、各種プログラムや各種データが記憶されている。なお、プレイデータは、サーバ装置１０に記憶されてもよい。
【００３９】
スピーカ４２は、ゲーム音等を出力する機能を有する。
【００４０】
＜ゲーム概要＞
第一実施形態に係るゲームは、プレイヤにコンテンツの一例としてのキャラクタを獲得させるための抽選ゲームや、クエストを含んでいる。抽選ゲームとは、ガチャ、ふくびき、召喚等とも称されるものである。クエストとは、対戦ゲーム、ダンジョン、探索、ミッション等とも称されるものである。
【００４１】
第一実施形態では、複数種類の抽選ゲームが存在し、それぞれ異なる名称（タイトル）が付けられている。各抽選ゲームは、抽選ゲームのメニュー画面等において、プレイヤによって選択可能となっている。第一実施形態では、一又は複数種類の抽選ゲームのうち、プレイヤによって一の抽選ゲームを選択する操作指示（要求）に基づき、当該一の抽選ゲームに対応する抽選対象キャラクタ群から無作為（ランダム）に選択された一又は複数のキャラクタをプレイヤに獲得させる。この抽選ゲームは、プレイヤが当該抽選ゲームに対応付けられた対価を消費することに基づいて実行される。この対価としては、有償アイテム（課金アイテム）や、無償アイテム（非課金アイテム）等が挙げられる。有償アイテムとは、課金の支払いでプレイヤにより購入されたアイテムである。この有償アイテムとしては、例えば有償石、有償ガチャチケット、有償コイン等が挙げられる。また、無償アイテムとは、プレイヤがゲームのプレイによって取得可能なアイテムである。例えば、無償アイテムは、ログインや、クエストのクリア、ミッション達成などの報酬として取得できる。この無償アイテムとしては、例えば無償石、無償ガチャチケット、ゲームコイン等が挙げられる。また、この有償アイテム及び無償アイテムは、抽選ゲームの実行だけでなく、スタミナ回復や、クエストのコンティニュー等の様々な用途で使用可能である。なお、有償石と無償石を総称して、「石」という場合がある。
【００４２】
また、第一実施形態では、プレイヤによる一の抽選ゲームの実行に基づいて、当該一の抽選ゲームに対応する当該プレイヤの所有ポイントが蓄積される。この所有ポイントは、例えば抽選ゲームで非特定キャラクタが抽選された場合に蓄積される。この非特定キャラクタとは、抽選ゲームに対応する抽選対象キャラクタ群のうち、特定キャラクタ（例えばレアリティが６以上のキャラクタ）以外のキャラクタをいう。蓄積されるポイントの数（量）としては、例えばプレイヤが当該一の抽選ゲームで消費した有償アイテム数および／又は無償アイテム数に所定係数（例えば１．２や１．０、０．５等）を乗じた数や、一定数（例えば５）が挙げられる。そして、この一の抽選ゲームにおいて特定キャラクタが抽選された場合、蓄積された所有ポイントに応じた報酬が当該プレイヤに付与され、当該所有ポイントは初期化（リセット）される。この報酬としては、例えば蓄積された所有ポイントに所定係数（例えば１．２や１．０、０．５等）を乗じた数の無償アイテム等が挙げられる。
【００４３】
また、第一実施形態では、複数種類のクエストが存在し、それぞれ異なる名称（タイトル）が付けられている。複数のクエストはそれぞれ、クエストのメニュー画面等において、プレイヤによって選択可能となっている。そして、複数のクエストのうちプレイヤによって一のクエストを選択する操作指示（要求）に基づき、当該一のクエストが実行される。このクエストは、プレイヤが当該クエストに対応付けられたスタミナ値を消費することに基づいて実行される。なお、プレイヤのスタミナ値（現在スタミナ値）が消費されるのは、そのクエストが終了（クリア又はリタイア）した時であってもよい。
【００４４】
また、第一実施形態では、プレイヤが所有する一又は複数のキャラクタにより構成されるチームと、敵キャラクタを対戦させるクエストが実行される。このクエストでは、例えばプレイヤはチームを構成するキャラクタ（チーム内キャラクタ）に攻撃等を指示する。また、このクエストでは、プレイヤは、チーム内キャラクタそれぞれが有する能力パラメータやスキルを用いて、敵キャラクタのヒットポイントを０以下にすることを目的とする。クエストをクリアした場合、プレイヤは、例えば無償石、ゲームコイン、キャラクタ、アイテム、経験値等のクリア報酬を獲得する。一方、クエストをクリアできなかった場合、プレイヤは、例えば有償石や無償石、コンティニューアイテム等を消費してクエストをコンティニューするか、クエストをリタイアするかを選択する。コンティニューとは、クエストをクリアできなかったプレイヤに対して、クエストを継続してプレイするための継続権をプレイヤに与えることである。
【００４５】
＜機能手段＞
図４は、サーバ装置１０の機能的構成の一例を示すブロック図である。
【００４６】
図４に示すように、サーバ装置１０は、機能的構成として、記憶手段５０と、抽選手段５２と、判定手段５４と、蓄積手段５６と、付与手段５８と、制御手段６０と、を備える。記憶手段５０は、一又は複数の記憶装置２８で実現される。記憶手段５０以外の機能手段は、記憶装置２８等に格納されたゲームプログラム１４を制御装置２０が実行することにより実現される。
【００４７】
記憶手段５０は、プレイヤ情報５０Ａや、キャラクタ情報５０Ｂ、抽選ゲーム情報５０Ｃ等を記憶する機能手段である。プレイヤ情報５０Ａは、プレイヤ毎に、当該プレイヤのプレイヤＩＤと対応付けて記憶されている。このプレイヤ情報５０Ａは、例えば、プレイヤの名前や年齢、所有キャラクタ情報、所有アイテム情報、所有ポイント情報、スタミナ情報を含む。所有キャラクタ情報には、プレイヤが所有する複数のキャラクタに関する情報が含まれており、例えば所有する各キャラクタのキャラクタＩＤ、能力パラメータを含む。能力パラメータは、例えばキャラクタのレベル、ヒットポイント、攻撃力、防御力等である。レベルは、キャラクタを育成するためのパラメータである経験値が当該キャラクタに付与されたことに基づいて上昇する。キャラクタのレベルが上昇すると、当該キャラクタのヒットポイントや攻撃力、防御力等も上昇する。所有アイテム情報は、プレイヤが所有しているアイテムの数と、アイテムそれぞれの獲得日時を含む。このアイテムとしては、有償石、有償ガチャチケット、無償石、無償ガチャチケット等が挙げられる。所有ポイント情報には、各抽選ゲームに対応する所有ポイント（蓄積数又はパラメータ）を含む。この所有ポイントは、例えばプレイヤが一の抽選ゲームを実行した結果、非特定キャラクタを獲得した場合に、当該一の抽選ゲームに対応して蓄積される。スタミナ情報は、プレイヤの現在スタミナ値とスタミナ上限値を含む。現在スタミナ値は、プレイヤがクエストを実行する際に消費する値である。この現在スタミナ値は、時間経過によってスタミナ上限値まで回復する。また、この現在スタミナ値は、有償石や無償石、スタミナ回復アイテム等を消費することにより、スタミナ上限値を超えて回復する。このスタミナ上限値は、プレイヤのプレイヤランクが上がることで上昇する。プレイヤランクは、例えばプレイヤがゲーム（例えばクエスト）をプレイすることに基づいて上昇する。
【００４８】
キャラクタ情報５０Ｂは、キャラクタ毎に、当該キャラクタのキャラクタＩＤに対応付けて記憶されている。このキャラクタ情報５０Ｂは、例えば、キャラクタの名前や画像、レアリティ、能力パラメータの初期値（例えばレベル１におけるヒットポイントや攻撃力、防御力等）と最大値（例えばレベル１００におけるヒットポイントや攻撃力、防御力等）、スキル等を含む。なお、レアリティが高いキャラクタほど、クエストに有利な能力パラメータやスキルが設定されている。
【００４９】
抽選ゲーム情報５０Ｃは、抽選ゲーム毎に、当該抽選ゲームの抽選ゲームＩＤに対応付けて記憶されている。この抽選ゲーム情報５０Ｃは、例えば、名称（タイトル）、抽選対象情報、獲得キャラクタレベル、対価、報酬情報（報酬テーブル）を含む。抽選対象情報は、抽選ゲームの抽選対象である抽選対象キャラクタ群を構成する各キャラクタのキャラクタＩＤと、当該キャラクタＩＤに対応付けられた抽選確率を含む。抽選対象キャラクタ群を構成する抽選対象キャラクタには、特定キャラクタと非特定キャラクタが含まれる。この抽選対象キャラクタ群を構成するキャラクタは、例えば１００種類である。抽選確率は、レアリティが高い特定キャラクタには低い確率（％）が設定され、レアリティが低いキャラクタ（非特定キャラクタ）には高い確率（％）が設定されている。獲得キャラクタレベルは、抽選ゲームでプレイヤに獲得させるキャラクタのレベル（初期レベル）を含む。対価は、抽選ゲームで1体のキャラクタを獲得するために必要なアイテムの数を含む。このアイテムとしては、有償アイテムや無償アイテム等が含まれる。なお、レアリティが高いキャラクタが獲得しやすい抽選ゲームには、対価の量が多く設定されていたり、価値が高い種類の対価（例えば有償アイテムのみ）が設定されていたりする場合がある。
【００５０】
図５は、抽選ゲーム情報５０Ｃの報酬情報の一例を示す概念図である。報酬情報には、所有ポイント（蓄積数）の各数値範囲（閾値）に対応付けて、プレイヤに付与する報酬が定められている。この各数値範囲の上限値は、各抽選ゲームにおいて特定キャラクタが抽選される抽選確率に応じた数であって、当該抽選確率が高いほど低い値となる。例えば、抽選ゲームＡにおいて、特定キャラクタが抽選される抽選確率は、「１．２％」である。また、例えば、抽選ゲームＢにおいて、特定キャラクタが抽選される抽選確率は、「２．４％」である。ここで、抽選ゲームＡでは、最も低い第一段階の数値範囲の上限値（第一所定値）は「２５０」であり、抽選ゲームＢでは、当該上限値（第一所定値）は「１２５」である。また、抽選ゲームＡでは、中間である第二段階の数値範囲の上限値（第二所定値）は「５５０」であり、抽選ゲームＢでは、当該上限値（第二所定値）は「２７５」である。同様に、抽選ゲームＡでは、最も高い第三段階の数値範囲の上限値（設定値）は「６５０」であり、抽選ゲームＢでは、当該上限値（設定値）は「３２５」である。
【００５１】
例えば、抽選ゲームＡに対応するプレイヤの所有ポイントが「２３０」の場合において、当該抽選ゲームＡで特定キャラクタが抽選されたとき、報酬は付与されない。また、例えば、抽選ゲームＡに対応するプレイヤの所有ポイントが「３６０」の場合において、当該抽選ゲームＡで特定キャラクタが抽選されたとき、当該所有ポイントの１／２である「１８０個」の無償石が付与される。また、例えば、抽選ゲームＡに対応するプレイヤの所有ポイントが「６００」の場合において、当該抽選ゲームＡで特定キャラクタが抽選されたとき、当該所有ポイントと同数である「６００個」の無償石が付与される。すなわち、抽選ゲームＡに対応するプレイヤの所有ポイントが高いほど、当該プレイヤに対して有利な報酬が付与される。
【００５２】
また、例えば、抽選ゲームＢに対応するプレイヤの所有ポイントが「８０」の場合において、当該抽選ゲームＢで特定キャラクタが抽選されたとき、報酬は付与されない。また、例えば、抽選ゲームＢに対応するプレイヤの所有ポイントが「２３０」の場合において、当該抽選ゲームＢで特定キャラクタが抽選されたとき、当該所有ポイントの１／２である「１１５個」の無償石が付与される。また、例えば、抽選ゲームＢに対応するプレイヤの所有ポイントが「３２０」の場合において、当該抽選ゲームＢで特定キャラクタが抽選されたとき、当該所有ポイントと同数である「３２０個」の無償石が付与される。すなわち、抽選ゲームＢに対応するプレイヤの所有ポイントが高いほど、当該プレイヤに対して有利な報酬が付与される。
【００５３】
抽選手段５２は、プレイヤからの操作指示（要求）に応じて、抽選ゲームに対応する抽選対象キャラクタ群から抽選したキャラクタを当該プレイヤに獲得させる機能手段である。第一実施形態では、抽選手段５２は、プレイヤが所有する有償アイテムおよび／又は無償アイテムを消費することにより、抽選対象キャラクタそれぞれの抽選確率に基づいて抽選したキャラクタを当該プレイヤに獲得させる抽選ゲームを実行する。なお、抽選手段５２は、プレイヤが有償アイテム（例えば有償石）と無償アイテム（例えば無償石）を両方所有している場合、各アイテムの獲得日時（獲得順）に応じた優先度で消費してもよいし、有償アイテム又は無償アイテムから優先して消費してもよい。
【００５４】
判定手段５４は、所定条件を満たしているか否かの判定を行う機能手段である。第一実施形態では、判定手段５４は、抽選ゲームで抽選されたキャラクタが特定キャラクタ（特定コンテンツ）であるか否かを判定する。
【００５５】
蓄積手段５６は、プレイヤの所有ポイント（蓄積数）を蓄積する（上昇させる）機能手段である。第一実施形態では、蓄積手段５６は、判定手段５４が抽選ゲームで抽選されたキャラクタが特定キャラクタではないと判定した場合、当該抽選ゲームに対応するプレイヤの所有ポイントを上昇させる。この上昇させる数（量）としては、例えばプレイヤが当該抽選ゲームで消費した有償アイテムおよび／又は無償アイテムの数に所定係数を乗じた数や、一定数（例えば５）が挙げられる。また、蓄積手段５６は、抽選ゲームにおいて特定キャラクタが抽選された場合、プレイヤの所有ポイントを初期化する。
【００５６】
付与手段５８は、所有ポイント（蓄積数）に応じた報酬をプレイヤに付与する機能手段である。第一実施形態では、付与手段５８は、判定手段５４が抽選ゲームで抽選されたキャラクタが特定キャラクタであると判定した場合、プレイヤに報酬を付与する。また、付与手段５８は、この所有ポイントが高いほど、プレイヤに対して有利な報酬を付与する。例えば、付与手段５８は、抽選ゲーム情報５０Ｃの報酬情報を参照して、プレイヤの所有ポイントが含まれる数値範囲に対応する報酬を付与する。この報酬としては、無償アイテムや、プレイヤに獲得させる特定キャラクタの能力パラメータを変更させること等が挙げられる。この報酬の数（量）としては、所有ポイントに応じた数、すなわちプレイヤが抽選ゲームの実行で消費したアイテムの総数に応じた数が挙げられる。例えば、報酬が無償石である場合、報酬として付与される無償石の数は、プレイヤが抽選ゲームの実行で消費した有償石又は無償石の総数に応じた数となる。また、報酬が特定キャラクタの能力パラメータを変更させることである場合、例えば、所有ポイントが２５０以下であるときは特定キャラクタをレベル１の状態で獲得させ、所有ポイントが２５１以上３５０以下であるときは特定キャラクタをレベル２０の状態で獲得させる等として、所有ポイントが高くなるにつれて特定キャラクタの獲得時のレベル（獲得キャラクタレベル）を上昇させる。
【００５７】
また、付与手段５８は、プレイヤの所有ポイントの数値範囲に報酬が対応付けられていない場合、報酬を付与しない。例えば、付与手段５８は、プレイヤの所有ポイントが報酬情報の最も低い第一段階の数値範囲の上限値（第一所定値）以下である場合、報酬を付与しない。また、付与手段５８は、プレイヤの所有ポイントが第一所定値よりも高い設定値を超えた場合、特定キャラクタをプレイヤに付与する。この設定値としては、抽選ゲーム情報５０Ｃの報酬情報における最も高い（第三段階の）数値範囲の上限値が挙げられる。
【００５８】
制御手段６０は、ゲーム全体を制御する機能手段である。第一実施形態では、制御手段６０は、所有ポイントが第二所定値を超えている場合、抽選ゲームを実行する際に消費するアイテムの数を低下させる。例えば、制御手段６０は、プレイヤの所定ポイントが第二所定値（例えば４００）を超えている場合、抽選ゲームの実行で消費するアイテム数を５個から３個に低下させる。また、制御手段６０は、所有ポイントが第二所定値を超えている場合、抽選ゲームを実行する際に消費するアイテムを価値の低いアイテムに変更する。例えば、制御手段６０は、プレイヤの所定ポイントが第二所定値（例えば４００）を超えている場合、抽選ゲームの実行で消費するアイテムの種類を有償アイテムから無償アイテムに変更する。この第二所定値としては、抽選ゲーム情報５０Ｃの報酬情報における第二段階の数値範囲の上限値が挙げられる。すなわち、制御手段６０は、プレイヤの所有ポイントが上昇するたび、抽選ゲームを実行する際に消費するアイテムの数やアイテムの価値を低下させる。
【００５９】
＜処理の流れ＞
図６は、第一実施形態に係るゲームシステムにおいて、図４に示す各機能手段が行う処理の流れの一例を示すフローチャートである。なお、以下のステップの順番及び内容は、適宜、変更することができる。 
【００６０】
（ステップＳＰ１０） 
プレイヤにより抽選ゲームメニューから一の抽選ゲームを選択する操作指示が行われた場合、制御手段６０は、タッチパネル３２に対して抽選ゲーム実行画面７０を表示制御する。 
【００６１】
図７は、第一実施形態に係る抽選ゲーム実行画面７０の一例を示す図である。 
【００６２】
図７に示すように、抽選ゲーム実行画面７０は、提供割合ボタン７２と、抽選対象情報領域７４と、実行ボタン７６と、所有情報提示領域７８と、が設けられている。提供割合ボタン７２は、抽選ゲームの抽選対象キャラクタ群を構成するキャラクタそれぞれの名前やレアリティ、抽選確率などを示す画面に遷移するためのボタンである。例えば、レアリティが６である３体の特定キャラクタ（キャラＢ、キャラＣ、キャラＤ）それぞれの抽選確率に「０．４％」が対応付けられている場合、特定キャラクタが抽選される抽選確率は、「１．２％」である。抽選対象情報領域７４には、抽選ゲームの抽選対象キャラクタ群に含まれる特定キャラクタ（３体）が表されている。実行ボタン７６は、抽選ゲームを実行するためのボタンであって、１回の抽選を実行する要求を行うボタンである。実行ボタン７６には、抽選の実行により消費する対価の種類と個数が表されている。所有情報提示領域７８には、プレイヤの所有するポイント数やアイテム数を示す領域であって、所有ポイントや、有償アイテム（有償石）、無償アイテム（無償石）の数が表されている。
【００６３】
図６に戻って、処理は、ステップＳＰ１２の処理に移行する。
【００６４】
（ステップＳＰ１２）
制御手段６０は、プレイヤからの実行ボタン７６の押下（抽選ゲームの実行要求）を受け付ける。そして、処理は、ステップＳＰ１４の処理に移行する。
【００６５】
（ステップＳＰ１４）
抽選手段５２は、抽選ゲーム情報５０Ｃの抽選対象情報や、対価等を参照して、抽選ゲームを実行する。具体的には、抽選手段５２は、プレイヤの所有アイテムから対価（例えば有償石又は無償石の計５個）を消費し、抽選対象キャラクタ群を構成するキャラクタそれぞれの抽選確率に基づいて抽選対象キャラクタ群から１体のキャラクタを抽選する。続いて、抽選手段５２は、抽選した１体のキャラクタをプレイヤに獲得させる。そして、処理は、ステップＳＰ１６の処理に移行する。
【００６６】
（ステップＳＰ１６）
判定手段５４は、ステップＳＰ１４で抽選されたキャラクタが特定キャラクタであるか否かを判定する。そして、当該判定が肯定判定された場合には、処理は、ステップＳＰ２６の処理に移行する。一方、当該判定が否定判定された場合、すなわちステップＳＰ１４で抽選されたキャラクタが非特定キャラクタである場合には、処理は、ステップＳＰ１８の処理に移行する。
【００６７】
（ステップＳＰ１８）
蓄積手段５６は、ステップＳＰ１４で実行された抽選ゲームに対応するプレイヤの所有ポイントを上昇させる。例えば、蓄積手段５６は、プレイヤの所有ポイントをステップＳＰ１４で消費したアイテム数（例えば５）と同じ数だけ所有ポイントを上昇させる。そして、処理は、ステップＳＰ２０の処理に移行する。
【００６８】
（ステップＳＰ２０）
判定手段５４は、ステップＳＰ１８で上昇した所有ポイントが設定値を超えているか否かを判定する。この設定値は、例えば、報酬情報において最も高い第三段階の数値範囲の上限値（例えば６５０）である。そして、当該判定が肯定判定された場合には、処理は、ステップＳＰ２２の処理に移行する。一方、当該判定が否定判定された場合には、処理は、図６に示す一連の処理を終了する。なお、上記設定値は、上限値に限られず、当該上限値より低い値であってもよい。
【００６９】
（ステップＳＰ２２）
付与手段５８は、ステップＳＰ１４で実行された抽選ゲームの抽選対象キャラクタ群に含まれる特定キャラクタをプレイヤに付与する。ここで、付与手段５８は、複数種類の特定キャラクタが存在する場合、一部又は全ての種類の特定キャラクタを付与する。例えば、付与手段５８は、３種類（３体）のうち１種類（１体）の特定キャラクタを付与する場合、無作為（ランダム）により選択された特定キャラクタ１種類（１体）を付与してもよいし、プレイヤの作為により選択された特定キャラクタ１種類（１体）を付与してもよい。なお、付与手段５８は、当該特定キャラクタをプレイヤに付与する際、抽選ゲーム情報５０Ｃの報酬情報を参照して、最も高い第三段階の数値範囲に対応する報酬をプレイヤに付与してもよい。そして、処理は、ステップＳＰ２４の処理に移行する。
【００７０】
（ステップＳＰ２４）
蓄積手段５６は、ステップＳＰ１４で実行された抽選ゲームに対応するプレイヤの所有ポイントを初期化する。例えば、蓄積手段５６は、当該抽選ゲームに対応するプレイヤの所有ポイントを「０」にする。そして、処理は、図６に示す一連の処理を終了する。
【００７１】
（ステップＳＰ２６）
付与手段５８は、抽選ゲーム情報５０Ｃの報酬情報を参照して、ステップＳＰ１４で実行された抽選ゲームに対応するプレイヤの所有ポイントが含まれる数値範囲に対応する報酬を付与する。例えば、付与手段５８は、プレイヤの所有ポイントが最も低い第一段階の数値範囲の上限値（第一所定値）以下である場合、報酬を付与しない。また、付与手段５８は、プレイヤの所有ポイントが最も低い第一段階の数値範囲の上限値（第一所定値）よりも大きく、かつ第二段階の数値範囲の上限値（第二所定値）以下の数値（例えば２６０）である場合、報酬として、当該所有ポイントの１／２の無償石（例えば１３０個）をプレイヤに付与する。また、付与手段５８は、プレイヤの所有ポイントが第二段階の数値範囲の上限値（第二所定値）よりも大きく、かつ最も高い第三段階の数値範囲の上限値（設定値）以下の数値（例えば５７０）である場合、報酬として、当該所有ポイントと同数の無償石（例えば５７０個）をプレイヤに付与する。そして、処理は、図６に示す一連の処理を終了する。
【００７２】
＜効果＞
以上、第一実施形態では、プレイヤに対応付けて、蓄積数を記憶する記憶手段５０と、プレイヤが所有するアイテムを消費することにより、抽選対象コンテンツそれぞれの抽選確率に基づいて抽選したコンテンツを当該プレイヤに獲得させる抽選ゲームを実行する抽選手段５２と、抽選ゲームで抽選されたコンテンツが特定コンテンツであるか否かを判定する判定手段５４と、判定が否定された場合、蓄積数を上昇させる蓄積手段５６と、判定が肯定された場合、蓄積数に応じた報酬をプレイヤに付与する付与手段５８と、を備え、付与手段５８は、蓄積数が高いほど、プレイヤに対して有利な報酬を付与する。
【００７３】
この構成によれば、特定コンテンツを獲得するまでに蓄積した蓄積数が高いほど、有利な報酬がプレイヤに付与されるため、公平性のある抽選ゲームを実行することができる。
【００７４】
また、第一実施形態では、付与手段５８は、蓄積数が第一所定値以下である場合、報酬を付与しない。
【００７５】
この構成によれば、少数のアイテムを消費しただけで特定コンテンツを獲得したプレイヤに対しては報酬を付与しないため、公平性のある抽選ゲームを提供することができる。
【００７６】
また、第一実施形態では、第一所定値は、特定コンテンツの抽選確率に応じた値であって、当該抽選確率が高いほど低い値となる。
【００７７】
この構成によれば、特定コンテンツの抽選確率が高い場合、蓄積数が第一所定値である一定値（例えば１２５）を超えているプレイヤには報酬を付与することができ、特定コンテンツの抽選確率が低い場合、蓄積数が当該一定値を超えていてもプレイヤには報酬を付与しないことができる。このため、抽選ゲームにおいて特定コンテンツの抽選確率が高いにも関わらず、蓄積数が一定値を超えているプレイヤを救済することができる。
【００７８】
また、第一実施形態では、付与手段５８は、蓄積数が第一所定値よりも高い設定値を超えた場合、特定コンテンツをプレイヤに付与する。
【００７９】
この構成によれば、多数のコストを消費しても特定コンテンツを獲得できないプレイヤを救済することができる。
【００８０】
また、第一実施形態では、報酬は、蓄積数に応じた数のアイテムである。
【００８１】
この構成によれば、蓄積数に応じた数のアイテムがプレイヤに付与されるため、少数のアイテムを消費しただけで特定コンテンツを獲得したプレイヤと、多数のアイテムを消費して特定コンテンツを獲得したプレイヤとの間で、実質的に抽選ゲームで消費したアイテム数を近づけることができる。
【００８２】
また、第一実施形態では、報酬は、獲得させる特定コンテンツのパラメータを変更させることである。
【００８３】
この構成によれば、蓄積数が高くなると、プレイヤに獲得させる特定コンテンツのパラメータを有利に変更させるため、抽選ゲームで多数のアイテムを消費したプレイヤに対して、当該特定コンテンツを育成させる手間を軽減させることができる。
【００８４】
また、第一実施形態では、蓄積手段５６は、判定が肯定された場合に、蓄積数を初期化する。
【００８５】
この構成によれば、プレイヤが特定コンテンツを獲得したことにより、蓄積数が初期化されるため、各プレイヤが引き続き抽選ゲームをプレイした場合でも、公平性を担保することができる。
【００８６】
また、第一実施形態では、蓄積数が第二所定値を超えている場合、抽選ゲームを実行する際に消費するアイテムの数を低下させる制御手段６０と、を備える。
【００８７】
この構成によれば、蓄積数が高くなると、抽選ゲームで消費するアイテム数が低下するため、少数のアイテムを消費しただけで特定コンテンツを獲得したプレイヤと、多数のアイテムを消費して特定コンテンツを獲得したプレイヤとの間で、抽選ゲームで消費したアイテム数を近づけることができる。
【００８８】
また、第一実施形態では、蓄積数が第二所定値を超えている場合、抽選ゲームを実行する際に消費するアイテムを価値の低いアイテムに変更する制御手段６０と、を備える。
【００８９】
この構成によれば、蓄積数が高くなると、抽選ゲームで消費するアイテムの価値が低下するため、少数のアイテムを消費しただけで特定コンテンツを獲得したプレイヤと、多数のアイテムを消費して特定コンテンツを獲得したプレイヤとの間で、抽選ゲームで消費したアイテムの価値を近づけることができる。
【００９０】
−−−第二実施形態−−−
次に、第二実施形態について説明する。
【００９１】
第二実施形態では、抽選ゲーム情報５０Ｃに対価情報（テーブル）を記憶している点で第一実施形態と異なる。なお、以下で説明しない第二実施形態に係るゲームシステムの構成及び機能は、第一実施形態に係るゲームシステムの構成及び機能と同様である。
【００９２】
図８は、抽選ゲーム情報５０Ｃの対価情報の一例を示す概念図である。対価情報には、所有ポイント（蓄積数）の各数値範囲（閾値）に対応付けて、１回の抽選ゲームで消費する対価の種類と量（個数）が定められている。この各数値範囲の上限値は、各抽選ゲームにおいて特定キャラクタが抽選される抽選確率に応じた数であって、当該抽選確率が高いほど低い数となる。例えば、抽選ゲームＣにおいて、特定キャラクタが抽選される抽選確率は、「１．０％」である。また、例えば、抽選ゲームＤにおいて、特定キャラクタが抽選される抽選確率は、「２．０％」である。ここで、抽選ゲームＣでは、最も低い第一段階の数値範囲の上限値（第一所定値）は「２５０」であり、抽選ゲームＤでは、当該上限値（第一所定値）は「１２５」である。また、抽選ゲームＣでは、中間である第二段階の数値範囲の上限値（第二所定値）は「４００」であり、抽選ゲームＤでは、当該上限値（第二所定値）は「２００」である。同様に、抽選ゲームＣでは、最も高い第三段階の数値範囲の上限値（設定値）は「６５０」であり、抽選ゲームＤでは、当該上限値（設定値）は「３２５」である。
【００９３】
例えば、抽選ゲームＣに対応するプレイヤの所有ポイントが「１６０」の場合、当該抽選ゲームＣで消費される対価の種類は有償石であって、量（個数）は５個である。また、抽選ゲームＣに対応するプレイヤの所有ポイントが「３２０」の場合、当該抽選ゲームＣで消費される対価の種類は無償石であって、量（個数）は３個である。また、抽選ゲームＣに対応するプレイヤの所有ポイントが「４８０」の場合、当該抽選ゲームＣではアイテムが消費されない。すなわち、抽選ゲームＣに対応するプレイヤの所有ポイントが高いほど、当該抽選ゲームＣを実行する際に消費するアイテムの数や価値が低下する。
【００９４】
また、例えば、抽選ゲームＤに対応するプレイヤの所有ポイントが「９０」の場合、当該抽選ゲームＤで消費される対価の種類は有償石であって、量（個数）は５個である。また、抽選ゲームＤに対応するプレイヤの所有ポイントが「１８０」の場合、当該抽選ゲームＤで消費される対価の種類は無償石であって、量（個数）は３個である。また、抽選ゲームＤに対応するプレイヤの所有ポイントが「２７０」の場合、当該抽選ゲームＤではアイテムが消費されない。すなわち、抽選ゲームＤに対応するプレイヤの所有ポイントが高いほど、当該抽選ゲームＤを実行する際に消費するアイテムの数や価値が低下する。
【００９５】
第二実施形態では、制御手段６０は、プレイヤの所有ポイント（蓄積数）が第一所定値を超えた場合、抽選ゲームを実行する際に消費するアイテムの数を低下させる。また、例えば、制御手段６０は、プレイヤの所有ポイントが第一所定値よりも高い第二所定値を超えた場合、抽選ゲームを実行する際にアイテムを消費しないこととする。
【００９６】
また、制御手段６０は、プレイヤの所有ポイントが第一所定値を超えた場合、抽選ゲームを実行する際に消費するアイテムを価値の低いアイテムに変更する。例えば、制御手段６０は、プレイヤの所有ポイントが第一所定値を超えた場合、抽選ゲームを実行する際に消費するアイテムを、有償アイテムから無償アイテムに変更する。
【００９７】
＜処理の流れ＞
図９は、第二実施形態に係るゲームシステムにおいて、制御手段６０等が行う処理の流れの一例を示すフローチャートである。
【００９８】
（ステップＳＰ３０）
プレイヤにより抽選ゲームメニューから一の抽選ゲームを選択する操作指示が行われた場合、制御手段６０は、当該一の抽選ゲームに対応するプレイヤの所有ポイントと抽選ゲーム情報５０Ｃの対価情報とを参照し、当該一の抽選ゲームの実行で消費する対価を決定する。具体的には、制御手段６０は、対価情報の各数値範囲のうち、プレイヤの所有ポイントが含まれる数値範囲に対応する対価の種類と個数を、消費する対価として決定する。例えば、制御手段６０は、プレイヤの所有ポイントが、対価情報における最も低い第一段階の数値範囲の上限値（第一所定値）を超えており、かつ、第二段階の数値範囲の上限値（第二所定値）以下である場合、当該所有ポイントが第一所定値以下である場合よりも、消費するアイテムの数および／又は価値を低下させる。そして、処理は、ステップＳＰ３２の処理に移行する。
【００９９】
（ステップＳＰ３２）
制御手段６０は、タッチパネル３２に対して抽選ゲーム実行画面８０を表示制御する。
【０１００】
図１０は、第二実施形態に係る抽選ゲーム実行画面８０の一例を示す図である。 
【０１０１】
図１０に示すように、抽選ゲーム実行画面８０は、提供割合ボタン８２と、抽選対象情報領域８４と、実行ボタン８６と、所有情報提示領域８８と、が設けられている。実行ボタン８６には、ステップＳＰ３０で決定された消費する対価の種類と個数が表されている。
【０１０２】
図９に戻って、処理は、ステップＳＰ３４の処理に移行する。
【０１０３】
（ステップＳＰ３４）
制御手段６０は、プレイヤからの実行ボタン８６の押下（抽選ゲームの実行要求）を受け付ける。そして、処理は、ステップＳＰ３６の処理に移行する。
【０１０４】
（ステップＳＰ３６）
抽選手段５２は、抽選ゲーム情報５０Ｃの抽選対象情報等を参照して、抽選ゲームを実行する。具体的には、抽選手段５２は、プレイヤの所有アイテムからステップＳＰ３０で決定された対価（例えば無償石３個）を消費し、抽選対象キャラクタ群を構成するキャラクタそれぞれの抽選確率に基づいて抽選対象キャラクタ群から１体のキャラクタを抽選する。なお、抽選手段５２は、ステップＳＰ３０で決定された対価が「なし」である場合、対価（アイテム）を消費せずに抽選を行う。続いて、抽選手段５２は、抽選した１体のキャラクタをプレイヤに獲得させる。そして、処理は、ステップＳＰ３８の処理に移行する。
【０１０５】
（ステップＳＰ３８）
判定手段５４は、ステップＳＰ３６で抽選されたキャラクタが特定キャラクタであるか否かを判定する。そして、当該判定が肯定判定された場合には、処理は、ステップＳＰ４８の処理に移行する。一方、当該判定が否定判定された場合、すなわちステップＳＰ３６で抽選されたキャラクタが非特定キャラクタである場合には、処理は、ステップＳＰ４０の処理に移行する。
【０１０６】
（ステップＳＰ４０）
蓄積手段５６は、ステップＳＰ３６で実行された抽選ゲームに対応するプレイヤの所有ポイントを上昇させる。例えば、蓄積手段５６は、プレイヤの所有ポイントを一定数（例えば５）上昇させる。そして、処理は、ステップＳＰ４２の処理に移行する。
【０１０７】
（ステップＳＰ４２〜ステップＳＰ４８）
ステップＳＰ４２〜ステップＳＰ４８における処理は、上述したステップＳＰ２０〜ステップＳＰ２６における処理と同様であるので、説明を省略する。そして、処理は、図９に示す一連の処理を終了する。
【０１０８】
＜効果＞
以上、第二実施形態では、プレイヤに対応付けて、蓄積数を記憶する記憶手段５０と、プレイヤが所有するアイテムを消費することにより、抽選対象コンテンツそれぞれの抽選確率に基づいて抽選したコンテンツを当該プレイヤに獲得させる抽選ゲームを実行する抽選手段５２と、抽選ゲームで抽選されたコンテンツが特定コンテンツであるか否かを判定する判定手段５４と、判定が否定された場合、蓄積数を上昇させる蓄積手段５６と、蓄積数が第一所定値を超えている場合、抽選ゲームを実行する際に消費するアイテムの数を低下させる制御手段６０と、を備える。
【０１０９】
この構成によれば、特定コンテンツを獲得するまでに蓄積した蓄積数が第一所定値を超えている場合、抽選ゲームで消費するアイテムの数が低下するため、公平性のある抽選ゲームを実行することができる。すなわち、少数の抽選回数で特定コンテンツを獲得したプレイヤと、多数の抽選回数で特定コンテンツを獲得したプレイヤとの間で、当該抽選ゲームで消費したアイテム数を近づけることができる。
【０１１０】
また、第二実施形態では、制御手段６０は、蓄積数が第一所定値よりも高い第二所定値を超えた場合、抽選ゲームを実行する際にアイテムを消費しない。
【０１１１】
この構成によれば、蓄積数が高くなると、抽選ゲームでアイテムが消費されなくなるため、少数の抽選回数で特定コンテンツを獲得したプレイヤと、多数の抽選回数で特定コンテンツを獲得したプレイヤとの間で、当該抽選ゲームで消費したアイテム数を近づけることができる。
【０１１２】
また、第二実施形態では、プレイヤに対応付けて、蓄積数を記憶する記憶手段５０と、プレイヤが所有するアイテムを消費することにより、抽選対象コンテンツそれぞれの抽選確率に基づいて抽選したコンテンツを当該プレイヤに獲得させる抽選ゲームを実行する抽選手段５２と、抽選ゲームで抽選されたコンテンツが特定コンテンツであるか否かを判定する判定手段５４と、判定が否定された場合、蓄積数を上昇させる蓄積手段５６と、蓄積数が第一所定値を超えている場合、抽選ゲームを実行する際に消費するアイテムを価値の低いアイテムに変更する制御手段６０と、を備える。
【０１１３】
この構成によれば、特定コンテンツを獲得するまでに蓄積した蓄積数が第一所定値を超えている場合、抽選ゲームで消費するアイテムの価値が低下するため、公平性のある抽選ゲームを実行することができる。すなわち、少数の抽選回数で特定コンテンツを獲得したプレイヤと、多数の抽選回数で特定コンテンツを獲得したプレイヤとの間で、当該抽選ゲームで消費したアイテムの価値を近づけることができる。
【０１１４】
また、第二実施形態では、アイテムには、プレイヤにより購入された有償アイテム、及び当該プレイヤがゲームのプレイによって取得可能な無償アイテムが含まれ、制御手段６０は、蓄積数が第一所定値を超えた場合、抽選ゲームを実行する際に消費するアイテムを有償アイテムから無償アイテムに変更する。
【０１１５】
この構成によれば、蓄積数が高くなると、抽選ゲームで無償アイテムが消費されることになるため、少数の抽選回数で特定コンテンツを獲得したプレイヤと、多数の抽選回数で特定コンテンツを獲得したプレイヤとの間で、当該抽選ゲームで消費したアイテムの価値を近づけることができる。
【０１１６】
また、第二実施形態では、第一所定値は、特定コンテンツの抽選確率に応じた数であって、当該抽選確率が高いほど低い数となる。
【０１１７】
この構成によれば、特定コンテンツの抽選確率が高い場合、蓄積数が第一所定値である一定値（例えば１２５）を超えているプレイヤには消費するアイテムの数や価値を低下させることができ、特定コンテンツの抽選確率が低い場合、蓄積数が当該一定値を超えていても消費するアイテムの数や価値を低下させないことができる。このため、抽選ゲームにおいて特定コンテンツの抽選確率が高いにも関わらず、蓄積数が一定値を超えているプレイヤを救済することができる。
【０１１８】
また、第二実施形態では、蓄積手段５６は、判定が肯定された場合に、蓄積数を初期化する。
【０１１９】
この構成によれば、プレイヤが特定コンテンツを獲得したことにより、蓄積数が初期化されるため、各プレイヤが引き続き抽選ゲームをプレイした場合でも、公平性を担保することができる。
【０１２０】
また、第二実施形態では、判定が肯定された場合、蓄積数に応じた報酬をプレイヤに付与する付与手段５８と、を備え、付与手段５８は、蓄積数が高いほど、プレイヤに対して有利な報酬を付与する。
【０１２１】
この構成によれば、特定コンテンツを獲得するまでに蓄積した蓄積数が高いほど、有利な報酬がプレイヤに付与されるため、公平性のある抽選ゲームを実行することができる。
【０１２２】
−−−変形例−−−
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【０１２３】
例えば、上記第一実施形態や第二実施形態では、抽選手段５２は、アイテムを消費することにより抽選ゲームを実行する場合を説明したが、プレイヤが直接課金を行うことによって抽選ゲームを実行してもよい。
【０１２４】
また、上記第一実施形態や第二実施形態では、蓄積手段５６は、抽選ゲームで消費したアイテム数と同じ数だけ所有ポイントを上昇させる場合等を説明したが、上昇させる数は特定キャラクタの抽選確率に応じた数であってもよい。例えば、蓄積手段５６は、特定キャラクタの抽選確率が低い場合には、所有ポイントを上昇させる数を少なくして、特定キャラクタの抽選確率が高い場合には、所有ポイントを上昇させる数を多くする。これにより、各抽選ゲームにおいて各数値範囲（第一所定値や、第二所定値、設定値等）を共通化することができる。また、蓄積手段５６は、所有ポイントを蓄積する（上昇させる）数を、抽選ゲームで抽選されたキャラクタのレアリティに応じた数としてもよい。例えば、蓄積手段５６は、抽選されたキャラクタのレアリティが４の場合には、所有ポイントを５蓄積し、抽選されたキャラクタのレアリティが５の場合には、所有ポイントを３蓄積する。また、蓄積手段５６は、抽選ゲームで抽選されたキャラクタが特定キャラクタであった場合でも、当該抽選ゲームに対応するプレイヤの所有ポイントを上昇させてもよい。すなわち、蓄積手段５６は、抽選ゲームで抽選されたキャラクタに関わらず、プレイヤの所有ポイントを上昇させてもよい。
【０１２５】
また、上記第一実施形態や第二実施形態では、制御手段６０は、所有ポイントが所定値（第一所定値又は第二所定値）を超えている場合、抽選ゲームを実行する際に消費するアイテムの価値を低下させる場合を説明したが、有償アイテムから優先して消費していたものを、無償アイテムから優先して消費することとしてもよい。また、制御手段６０は、所有ポイントが当該所定値を超えている場合、アイテムの獲得日時（獲得順）に応じてアイテムを消費していたものを、無償アイテムから優先して消費することとしてもよい。
【０１２６】
また、上記第一実施形態や第二実施形態では、第一所定値は、第二所定値よりも低い値である場合を説明したが、第二所定値と同じ値でもよいし、第二所定値よりも高い値であってもよい。
【０１２７】
また、上記第一実施形態や第二実施形態では、抽選ゲーム情報５０Ｃの報酬情報それぞれには、同一種類の報酬が含まれる場合を説明したが、異なる種類の報酬が含まれることとしてもよい。すなわち、付与手段５８は、抽選ゲーム毎に所有ポイントに応じた異なる報酬をプレイヤに付与してもよい。
【０１２８】
また、上記第一実施形態や第二実施形態では、付与手段５８は、プレイヤに獲得させる特定キャラクタの能力パラメータ（レベル）を上昇させる報酬を付与する場合を説明したが、低い値である方がクエスト等で有利な能力パラメータは、下降させてもよい。この能力パラメータとしては、例えばキャラクタのスキルを発動するターン数や、キャラクタをチームに編成する際に生じるコスト（編成コスト）等が挙げられる。
【０１２９】
また、上記第一実施形態や第二実施形態では、特定キャラクタは、抽選ゲームに対応する抽選対象キャラクタ群のうち、レアリティが高いキャラクタである場合を説明したが、抽選対象キャラクタ群の中からプレイヤの作為により選択したキャラクタや、所有ポイントを初期化（リセット）するためのキャラクタ等であってもよい。
【０１３０】
また、上記第一実施形態や第二実施形態では、報酬は、蓄積された所有ポイントに所定係数を乗じた数の無償アイテムである場合を説明したが、報酬情報の数値範囲毎に固定された数の無償アイテムであってもよい。また、上記第一実施形態や第二実施形態では、報酬が主に無償石である場合を説明したが、報酬は有償アイテム以外であればよく、キャラクタや強化素材、進化素材、無償ガチャチケット、ゲームコイン、スタミナ回復アイテム、コンティニューアイテム等でもよい。
【０１３１】
また、上記第一実施形態や第二実施形態では、蓄積数が所有ポイントである場合を説明したが、ゲームアイテム（例えば蓄積用アイテム）やゲームアイテムのカケラ、変数（パラメータ）でもよい。
【０１３２】
また、上記第一実施形態や第二実施形態では、所有ポイント（蓄積数）は、各抽選ゲームに対応して蓄積される場合を説明したが、２以上の抽選ゲームに共通して蓄積されることとしてもよい。この場合、蓄積手段５６は、所有ポイントを蓄積する（上昇させる）数を、一の抽選ゲームと他の抽選ゲームとで異ならせてもよい。
【０１３３】
また、上記第一実施形態や第二実施形態では、コンテンツがクエストで利用可能なキャラクタである場合を主に説明したが、アイテムやカード、武器、アバター、コイン、ポイント等でもよい。また、特定コンテンツは、特定のキャラクタ（特定キャラクタ）である場合を主に説明したが、特定のアイテムやカード、武器、アバター、コイン、ポイント等でもよい。
【符号の説明】
【０１３４】
１０…サーバ装置（コンピュータ）、１２…端末装置、５０…記憶手段、５２…抽選手段、５４…判定手段、５６…蓄積手段、５８…付与手段、６０…制御手段
【要約】
【課題】公平性のある抽選ゲームを提供する。
【解決手段】情報処理装置は、抽選したコンテンツをプレイヤに獲得させる抽選ゲームを実行する抽選手段５２と、抽選されたコンテンツが特定コンテンツであるか否かを判定する判定手段５４と、判定が否定された場合、蓄積数を上昇させる蓄積手段５６と、判定が肯定された場合、蓄積数に応じた報酬をプレイヤに付与する付与手段５８と、を備え、付与手段５８は、蓄積数が高いほど、プレイヤに対して有利な報酬を付与する。
【選択図】図４【図１】
0006697661.tif 000002
【図２】
0006697661.tif 000003
【図３】
0006697661.tif 000004
【図４】
0006697661.tif 000005
【図５】
0006697661.tif 000006
【図６】
0006697661.tif 000007
【図７】
0006697661.tif 000008
【図８】
0006697661.tif 000009
【図９】
0006697661.tif 000010
【図１０】
0006697661.tif 000011